(57)【特許請求の範囲】
【請求項１】
ユーザに使用可能な応答器を有し、交換網に接続される基地局であり、該応答器は、該基地局により受信されたメッセージを格納し、該ユーザからの要求に応じて該基地局の該ユーザに該メッセージを送信する基地局と、
該基地局と通信する少なくとも１つの送受話器とを有し、
該基地局は、該ユーザの介入なしに、該応答器の状態に関するデータを全ての送受話器にブロードキャスト可能であり、該応答器の状態は、メッセージが登録されているかメッセージが登録されていないかに関するデータを含むことを特徴とする電話システム。
【請求項２】
該応答器は、該ユーザによりオフにされるように動作可能であり、ブロードキャストされる該応答器の状態は、該応答器が使用可能であるが、該ユーザによりオフにされていることを有する請求項１記載の電話システム。
【請求項３】
ＤＥＣＴ規格を満たし、該状態データはＥＴＳ３００１７５−３規格の第７．２．４．３項に対応することを特徴とする請求項１記載の電話システム。
【請求項４】
該状態データは該送受話器のスクリーン上に表示されることを特徴とする請求項１記載の電話システム。
【請求項５】
該応答器は、フラッシュメモリを有する請求項１に記載の電話システム。
【発明の詳細な説明】
【０００１】
【発明の属する技術分野】
本発明は、交換網に接続される基地局と、少なくとも加入者ユニットと、少なくとも通信要素とからなり、上記通信要素は特にプロセッサ組立体と、実行プログラムを含むメモリと、ランダムアクセスメモリとによって形成される管理要素を含む基地局に特に接続された応答器型の通信要素である、電話機に関する。
【０００２】
本発明は同様に、そのような電話機に使用される方法に関し、またそのような電話機に適した加入者ユニットに関する。
本発明は、特に例えばＤＥＣＴ規格を満たす電話機の場合のように、プロトコルを含む電気通信システムに興味深い用途を見出す。
【０００３】
【従来の技術】
しばしば多数の加入者局からなる上述の種類の電話機は、ユーザに対してより多くの機能を提供するようになってきた。これらの機能のうちの１つは、発呼者に対するメッセージの受信及び発信を可能し、ユーザの要求に応じてメッセージの返信を認可する応答器の機能である。
【０００４】
【発明が解決しようとする課題】
この種類の装置では、ユーザが基地局から遠方に位置する場合、自分に対するメッセージがあるか否かを知ることが問題となる。ユーザはまた通知を行わねばならないことがあり、従って自分の応答器が使用可能であるか否かを知ることを望む。これはＤＥＣＴ規格を満たし、従って多数の加入者ユニットからなる装置の場合により重大な問題となる。
【０００５】
【課題を解決するための手段】
本発明は、基地局に挿入された応答器へのアクセスをユーザが簡単に管理することを可能にする冒頭の段落において定義される種類の装置を提供する。
従って、そのような装置は、通信要素の状態に関するデータが全ての加入者ユニットに対してブロードキャストされることを特徴とする。
【０００６】
本発明の概念は、全ての加入者ユニットに対してデータをブロードキャストする可能性を使用して、加入者ユニットが自己の応答器の状態を知り、可能であれば応答器と通信させるようにすることからなる。
【０００７】
【発明の実施の形態】
本発明の上述及び他の面は、以下説明される実施例を参照して明らかとなろう。図１には、ＤＥＣＴ規格を満たす装置が示されている。参照番号１は、無線チャネルによって複数の加入者ユニット（送受話器）ＨＳ１，ＨＳ２等に接続されうる基地局ＢＳを示す。この基地局１は特に、電話線１２によって基地局を交換網に接続することを可能にする電話線回路１０と、アンテナ１６を通じて電波を発信及び受信することによって様々な加入者ユニットＨＳ１，ＨＳ２等との対話を認可する無線回路１４とからなる。基本回路を通過する全てのアナログ情報を処理するために、ディジタル信号プロセッサＤＳＰの周囲には特に音声信号を処理する信号処理要素１５が形成される。応答器の機能を実行するためにフラッシュメモリ１７が使用される。即ち、フラッシュメモリ１７は電話線１２を通じて遠隔加入者から到来する音声データと、これらの遠隔加入者用の通知データとを含む。このメモリ１７のデータは様々なアナログ・ディジタル変換及びディジタル・アナログ変換を実行する回路１５によって処理される。
【０００８】
この基本回路１の全ての要素はマイクロプロセッサ組立体２０によって管理される。この組立体は特に、通常の方法で、ランダムアクセスメモリ（ＲＡＭ）２４と、装置の命令及び動作を含む読出し専用メモリ（ＲＯＭ）２６と、管理プロセッサ（μＰ）２９とによって形成される。この組立体によって、応答器機能の主要構成部分であるフラッシュメモリ１７がいつ使用可能、又は使用可能でないか、及びメッセージが登録されているか、されていないかを知ることが可能である。
【０００９】
詳細に示される加入者ユニットＨＳ１（ユニットＨＳ２は同一構造を有しうる）は、ユニットが基地局ＢＳと通信し、基地局ＢＳから他の加入者局ＨＳ２等と通信することを可能にするアンテナ４１を有する通信組立体４０からなる。この組立体は、マイクロホン４２から到来する情報を処理すると共に、イアホン４４用の信号を発生する。また、管理要素２９と同様、ランダムアクセスメモリ５４と、装置の動作命令を含む読出し専用メモリ５６と、管理プロセッサ５９とによって形成される管理要素５９が設けられている。加入者ユニットＨＳ１はまた、様々なデータが表示されるスクリーン６０と、キーボード６１とを有する。これらの送受話器は移動式であり、そのため図１中に図示されない蓄電池によって電源供給される。
【００１０】
本発明によれば、応答器回路の状態はユーザの介入なしにスクリーン６０上に示される。これはメッセージのブロードキャストを実現することによる本発明の興味深い特徴によって達成される。このため、ＥＴＳ規格３００  １７５−３の第７．２．４．３項の規定が使用される。
以下の表１は、いかにしてこの規格が使用されるかを示す。
【００１１】
【表１】
0004308937.tif 000002
【００１２】
このように、相互に排他的なワードの対が与えられる。Ｍ１及びＭ１’の対、Ｍ２，Ｍ２’の対及びＭ３，Ｍ３’の対は、夫々相互に排他的である。これらのワードは上記規格の参照番号ａ３２乃至ａ４７が付けられた箇所で説明されている。
【００１３】
図２では、応答器回路の動作段階が説明されている。
状態ＳＴ１は、非作動の応答器を示すと考えられ、従ってワードＭ１’は全ての加入者ユニットの方向に伝送される。応答器が、例えば基地局のスクリーン上の可視のメニュー上に現れる開始を有効にすることによって作動されると、状態ＳＴ２へ進み、ワードＭ１が送信される。その後応答器は、電話線１２から到来するメッセージを登録すること、この電話線１２を通じて通知をブロードキャストすること、又は加入者ユニットのうちの１つにユーザへのメッセージを返信することといったタスクを実行するためのワードＭ３の伝送に対応する状態ＳＴ３に調整されうる。応答器はタスクを実行すると、調整の間にメッセージが登録されていないことを示す状態ＳＴ５、又はメッセージが登録されたことを示す状態ＳＴ６のいずれかを通ってワードＭ３’の伝送に対応する状態ＳＴ４へ変化する。状態ＳＴ５及びＳＴ６は夫々、ワードＭ２’及びＭ２の伝送を意味する。応答器機能を非作動にすることによってこれらの状態の夫々から状態ＳＴ１に戻りうることは明らかである。
【００１４】
加入者ユニットから開始して、ユーザはメニューの幾つかの項目を有効にすることによってこの応答器回路の状態を調べることができる。これは図３に示される。
ボックスＫ１で検出されるワードＭ１’が伝送されており、従って応答器が非作動であることを通知していれば、ユーザにはこのデータＭ１’のみが目に見えている。ユーザに対して応答器が非作動であることが示されている（ボックスＫ２）。ワードＭ１が送信されていれば、ワードＭ１、Ｍ２又はＭ２’、Ｍ３又はＭ３’に関するデータが目に見えている（ボックスＫ３）。
【００１５】
これらの様々なワードは周期的に送信され、従って加入者ユニットがもはや基地局の有効範囲内になければ、応答器に関する状態データは加入者ユニットが上記有効範囲に戻る時点において更新される。
しかしながら、ワードＭ１’とＭ２とは排他的でないことに注目すべきである。実際、ユーザは、
ユーザの応答器を作動させ、即ちワードＭ１を送信し、
メッセージを受信し、即ちワードＭ２を送信し、
メッセージを読まずに応答器を非作動にする、即ちワードＭ１’を送信することが起こりうる。
【００１６】
この場合、ワードＭ２及びＭ１’は状態が変化する瞬間に送信され、その後は周期的に送信される。また、ワードＭ２及びＭ１’に対応するデータは目に見える必要がある。
【図面の簡単な説明】
【図１】本発明による装置を示す図である。
【図２】基地局の動作を説明するために使用される図である。
【図３】加入者ユニットの動作を説明するために使用される図である。
【符号の説明】
１  基地局
１０  電話線回路
１２  電話線
１４  無線回路
１５  信号処理要素
１６  アンテナ
１７  フラッシュメモリ
２０  マイクロプロセッサ組立体
２４  ランダムアクセスメモリ
２６  読出し専用メモリ
２９  管理プロセッサ
４０  通信組立体
４１  アンテナ
４２  マイクロホン
４４  イアホン
５０  管理要素
５４  ランダムアクセスメモリ
５６  読出し専用メモリ
５９  管理プロセッサ
６０  スクリーン
６１  キーボード
【図１】
0004308937.tif 000003
【図２】
0004308937.tif 000004
【図３】
0004308937.tif 000005